(57)【特許請求の範囲】
【請求項１】
無線通信システムにおいてユーザ機器で基地局からダウンリンク信号を受信する方法であって、
前記方法は、
ダウンリンク制御情報を伝達するダウンリンク制御チャネルを受信することと、
２個以下のコードワードを伝達するダウンリンクデータチャネルを受信することと
を含み、
前記ダウンリンク制御情報に含まれるスワッピングフラグは、前記基地局における２個の転送ブロックと２個のコードワードとのマッピング関係を規定し、
前記基地局において前記２個の転送ブロックのうちの１個の転送ブロックが不活性化される場合、前記スワッピングフラグは、使用が留保される、方法。
【請求項２】
前記２個の転送ブロックのうちの前記１個の転送ブロックが不活性化される場合、前記ダウンリンク制御情報に含まれる前記２個の転送ブロックのうちの前記１個の転送ブロックに対する変調及びコーディング方式インデックスが０として構成される、請求項１に記載の方法。
【請求項３】
前記２個の転送ブロックのうちの前記１個の転送ブロックが不活性化される場合、前記スワッピングフラグの値によらずに、もう１個の転送ブロックは、前記２個のコードワードのうちの所定のコードワードにマッピングされる、請求項１に記載の方法。
【請求項４】
前記２個の転送ブロックの全てが活性化され、前記スワッピングフラグが０の値を有する場合、第１転送ブロックは第１コードワードにマッピングされ、第２転送ブロックは第２コードワードにマッピングされ、
前記２個の転送ブロックの全てが活性化され、前記スワッピングフラグが１の値を有する場合、前記第１転送ブロックは前記第２コードワードにマッピングされ、前記第２転送ブロックは前記第１コードワードにマッピングされる、請求項１に記載の方法。
【請求項５】
前記ダウンリンクデータチャネルは、物理ダウンリンク共有チャネル（ＰＤＳＣＨ）であり、
前記ダウンリンク制御チャネルは、物理ダウンリンク制御チャネル（ＰＤＣＣＨ）である、請求項１に記載の方法。
【請求項６】
前記２個の転送ブロックのうちの前記１個の転送ブロックが不活性化される場合、前記ダウンリンク制御情報に含まれる前記２個の転送ブロックのうちの前記１個の転送ブロックに対するリダンダンシーバージョンインデックスが１として構成される、請求項２に記載の方法。
【発明の詳細な説明】
【技術分野】
【０００１】
本発明は、移動通信システムに係り、特に、転送ブロックとコードワード間のマッピング関係を效率的に規定する方法とこれを用いてダウンリンク信号を效率的に転送する方法に関するものである。
【背景技術】
【０００２】
現在、通信システムで用いられる誤り制御アルゴリズムは、自動再送要求（Ａｕｔｏｍａｔｉｃ  Ｒｅｐｅａｔ  ｒｅｑｕｅｓｔ：ＡＲＱ）と誤り訂正（Ｆｏｒｗａｒｄ  Ｅｒｒｏｒ  Ｃｏｒｒｅｃｔｉｏｎ：ＦＥＣ）とに分類することができる。ＡＲＱ方式の種類には、Ｓｔｏｐ  ａｎｄ  Ｗａｉｔ  ＡＲＱ、Ｇｏ−Ｂａｃｋ−Ｎ  ＡＲＱ、選択的反復（Ｓｅｌｅｃｔｉｖｅ−Ｒｅｐｅａｔ）ＡＲＱなどがある。Ｓｔｏｐ  ａｎｄ  Ｗａｉｔ  ＡＲＱは、毎度転送されたフレームが正確に受信されたか否かを確認（ＡＣＫ信号確認）した後に次のフレームを転送する手法であり、Ｇｏ−Ｂａｃｋ−Ｎ  ＡＲＱは、連続したＮ個のデータフレームを転送し、転送に成功しなかった場合、エラーの発生したフレーム以降に転送された全てのデータフレームを再転送する方式である。そして、選択的反復ＡＲＱ手法は、エラーの生じたフレームのみを選択的に再転送する方式である。
【０００３】
一方、ＨＡＲＱ（Ｈｙｂｒｉｄ  Ａｕｔｏｍａｔｉｃ  Ｒｅｐｅａｔ  ｒｅＱｕｅｓｔ）とは、再転送と誤り訂正とを結合して誤りを制御する技術で、再転送時に受信されたデータの誤り訂正符号能力を極大化させる方式のことをいう。再転送時に転送されるビットの特性によって、ＣＣ（ｃｈａｓｅ  ｃｏｍｂｉｎｇ）、ＩＲ（ｉｎｃｒｅｍｅｎｔａｌ  ｒｅｄｕｎｄａｎｃｙ）ＨＡＲＱとに大別することができる。ＣＣ  ＨＡＲＱは、再転送時に、１次転送で使用したデータをそのまま使用することによって受信端でＳＮＲ比を高めて利得（ｇａｉｎ）を得る方法であり、ＩＲ  ＨＡＲＱは、再転送時に冗長ビット（ｒｅｄｕｎｄａｎｃｙ  ｂｉｔｓ）を転送して結合する方式で受信端でコーディング利得（ｃｏｄｉｎｇ  ｇａｉｎ）を得、性能を向上させる方式である。
【０００４】
図１は、ＨＡＲＱ方式のうち、Ｓｔｏｐ  ａｎｄ  Ｗａｉｔ  ＡＲＱ方式の概念を説明するための図である。
【０００５】
図１に示すように、Ｓｔｏｐ  ａｎｄ  ｗａｉｔ  ＨＡＲＱプロトコルは、一つのプロセスブロックを転送した後、受信端から個別にＡＣＫ（ＡＣＫｎｏｗｌｅｄｇｅｍｅｎｔ）／ＮＡＣＫ（Ｎｏ  ＡＣＫ）を受信して、再転送するか否かを判別する方法である。このようなＳｔｏｐ  ａｎｄ  ｗａｉｔ  ＨＡＲＱプロトコルは、最も単純ながらも効率的な転送方法であるが、データの送信端がＡＣＫ／ＮＡＣＫをデータの受信端から受信するまでの往復時間（Ｒｏｕｎｄｉｎｇ  Ｔｒｉｐ  ｔｉｍｅ；以下、“ＲＴＴ”という。）によりリンク転送効率が低下する。
【０００６】
図２は、Ｎ−チャネルＳｔｏｐ  ａｎｄ  ｗａｉｔ  ＨＡＲＱプロトコル手法を説明するための図である。
【０００７】
すなわち、Ｎ−チャネルＳｔｏｐ  ａｎｄ  ｗａｉｔ  ＨＡＲＱプロトコル手法は、図１に基づいて上述した方式の問題点を補完するために、図２に示すように、ＡＣＫ／ＮＡＣＫを送受信するまでにおいて転送リンクが使用されない時間に複数（Ｎ）の独立したＳｔｏｐ−ａｎｄ  Ｗａｉｔ  ＨＡＲＱを動作させる手法を意味する。これにより、プロセシング遅延を減少させることができる。
【０００８】
一方、ＭＩＭＯ（Ｍｕｌｔｉｐｌｅ  Ｉｎｐｕｔ  Ｍｕｌｔｉｐｌｅ  Ｏｕｔｐｕｔ）手法とは、基地局と端末機で２個以上の送／受信アンテナを用いて空間的に複数のデータストリームを同時に送受信することによってシステムの容量を増加させる方式のことをいう。このＭＩＭＯ手法によると、複数の送信アンテナを用いて送信ダイバーシティ（ｄｉｖｅｒｓｉｔｙ）利得またはビームフォーミング（Ｂｅａｍｆｏｒｍｉｎｇ）利得を得ることができる。
【０００９】
送信ダイバーシティ手法は、複数の送信アンテナを通じて同一のデータ情報を転送することによって、速い時変チャネル状況において高信頼度のデータ転送を可能にしながら、受信機からのチャネル関連フィードバック情報なしにも具現できるというメリットを有する。ビームフォーミングは、複数の送信アンテナにそれぞれ好適な重み値を乗算して受信機の受信ＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）を増加させるために用いられるもので、通常、ＦＤＤ（Ｆｒｅｑｕｅｎｃｙ  Ｄｉｖｉｓｉｏｎ  Ｄｕｐｌｅｘｉｎｇ）システムでアップ／ダウンリンクのチャネルが独立していることから、好適なビームフォーミング利得を得るためには高信頼性のチャネル情報が必要とされ、よって、受信機から別のフィードバック（Ｆｅｅｄｂａｃｋ）を受けて使用する。
【００１０】
一方、単一ユーザ及び多重ユーザに対する空間多重化方式について簡略に説明すると、下記の通りである。
【００１１】
図３は、ＭＩＭＯ通信システムで用いれる空間多重化（Ｓｐａｔｉａｌ  Ｍｕｌｔｉｐｌｅｘｉｎｇ：ＳＭ）及び空間分割多重接続（Ｓｐａｔｉａｌ  Ｄｉｖｉｓｉｏｎａｌ  Ｍｕｌｔｉｐｌｅ  Ａｃｃｅｓｓ）方式の概念を示す図である。
【００１２】
単一ユーザに対する空間多重化は、ＳＭあるいはＳＵ−ＭＩＭＯ（Ｓｉｎｇｌｅ  Ｕｓｅｒ  ＭＩＭＯ）と呼ばれ、図３の左図に示すように、一つのユーザの複数のアンテナを用いてデータを送信する。したがって、ＭＩＭＯチャネルの容量はアンテナ数に比例して増加する。一方、多重ユーザに対する空間多重化は、ＳＤＭＡあるいはＭＵ−ＭＩＭＯ（Ｍｕｌｔｉ−Ｕｓｅｒ  ＭＩＭＯ）で呼ばれ、図３の右図に示すように、複数のユーザアンテナを通じてデータを送受信する。
【００１３】
ＭＩＭＯ手法の使用に当たり、同時に転送されるＮ個のデータストリームを、一つのチャネルエンコーディングブロックを用いて転送する単一コードワード（Ｓｉｎｇｌｅ  ＣｏｄｅＷｏｒｄ：ＳＣＷ）方式と、Ｎ個のデータストリームをＭ（ここで、Ｍは、常にＮより小さいまたは同一である。）個のチャネルエンコーディングブロックを用いて転送する多重コードワード（Ｍｕｌｔｉｐｌｅ  ＣｏｄｅＷｏｒｄ：ＭＣＷ）方式がある。ここで、各チャネルエンコーディングブロックは、独立したコードワードをを生成し、各コードワードは、独立したエラー検出が可能なように設計される。
【００１４】
一方、かかるコードワードは、一つ以上のレイヤーを通じて転送され、各コードワードを通じて転送される情報は、互いにスワッピング（ｓｗａｐｐｉｎｇ）して転送されることができる。また、複数のコードワードを同時に転送できる無線通信システムで、特定コードワードそのものまたはそれを通じて転送される情報のサイズが０になる場合がある。
【発明の概要】
【発明が解決しようとする課題】
【００１５】
本発明の目的は、上記の多重アンテナ通信システムにおいて、上述のように各コードワードを通じて転送される情報がスワッピングされることを具体的に規定し、これを簡単なスワッピングフラグによって明確に表す方法を提供することにある。
【００１６】
特に、特定コードワードを通じて転送される情報のサイズが０の場合、上記のスワッピングフラグとコードワードマッピングとの関係を明確に規定する。
【課題を解決するための手段】
【００１７】
上記目的を達成するための本発明の一実施形態では、２個以下のコードワードを同時に転送できる多重アンテナシステムにおいてダウンリンク信号を転送する方法において、２個以下の転送ブロック（Ｔｒａｎｓｐｏｒｔ  Ｂｌｏｃｋ）を、前記２個以下のコードワードにマッピングし；前記２個以下のコードワードを４個以下のレイヤーにマッピングして、ダウンリンクデータチャネルを通じて転送し；及び、前記２個以下の転送ブロックと前記２個以下のコードワードとのマッピング関係を規定するスワッピング指示子をダウンリンク制御チャネルを通じて転送すること、を含むダウンリンク信号転送方法を提案する。
【００１８】
ここで、前記２個以下の転送ブロックのうち、第１転送ブロックのサイズが０の場合も、第２転送ブロックのサイズが０の場合も存在することができ、前記第１転送ブロック及び前記第２転送ブロックのうちいずれか一方のサイズが０の場合を受信側に知らせるために、変調及びコーディング方式（ＭＣＳ）インデックスを含む制御情報を用いることができる。
【００１９】
また、前記第１転送ブロック及び前記第２転送ブロックのうちいずれかの一方のサイズが０の場合、前記スワッピングフラグは使用を留保することができ、このように前記第１転送ブロック及び前記第２転送ブロックのうちいずれか一方のサイズが０の場合、前記スワッピングフラグの論理値によらず、前記第１転送ブロックまたは前記第２転送ブロックは第１コードワードにマッピングされるように設定することができる。
【００２０】
また、前記第１転送ブロック及び前記第２転送ブロックの両方ともサイズが０でなく、前記スワッピングフラグが第１論理値を有する場合には、前記第１転送ブロックは第１コードワードに、前記第２転送ブロックは第２コードワードにマッピングすることができ、前記第１転送ブロック及び前記第２転送ブロックの両方ともサイズが０でなく、前記スワッピングフラグが第２論理値を有する場合、前記第１転送ブロックは前記第２コードワードに、前記第２転送ブロックは前記第１コードワードにマッピングすることができる。
【００２１】
なお、前記ダウンリンクデータチャネルは、物理ダウンリンク共有チャネル（ＰＤＳＣＨ）とし、前記ダウンリンク制御チャネルは、物理ダウンリンク制御チャネル（ＰＤＣＣＨ）とすることができる。
【００２２】
一方、上記目的を達成するための本発明の他の実施形態では、第１転送ブロック及び第２転送ブロックを含む転送ブロックと第１コードワード及び第２コードワードを含むコードワードとのマッピング関係を規定する方法において、前記転送ブロックと前記コードワードとのマッピング関係は、スワッピングフラグ及び用いられる転送ブロックまたはコードワードの個数によって規定し、前記用いられる転送ブロックまたはコードワードの個数が１である場合、前記スワッピングフラグの論理値によらず、前記第１転送ブロック及び前記第２転送ブロックのうち、用いられる転送ブロックを前記第１コードワードにマッピングし、前記用いられる転送ブロックまたはコードワードの個数が２である場合、前記スワッピングフラグの論理値によって前記第１転送ブロック及び前記第２転送ブロックのそれぞれを前記第１コードワードまたは前記第２コードワードにマッピングすることを特徴とする転送ブロック−コードワードマッピング関係規定方法を提案する。
【００２３】
ここで、前記用いられる転送ブロックまたはコードワードの個数が２であり、前記スワッピングフラグの論理値が‘０’の場合、前記第１転送ブロックを前記第１コードワードに、前記第２転送ブロックを前記第２コードワードにマッピングし、前記用いられる転送ブロックまたはコードワードの個数が２であり、前記スワッピングフラグの論理値が‘１’の場合、前記第１転送ブロックを前記第２コードワードに、前記第２転送ブロックを前記第１コードワードにマッピングすることができる。
本願明細書は、例えば、以下の項目も提供する。
（項目１）
２個以下のコードワードを同時に転送できる多重アンテナシステムでダウンリンク信号を転送する方法であって、
２個以下の転送ブロックを前記２個以下のコードワードにマッピングし、
前記２個以下のコードワードを４個以下のレイヤーにマッピングしてダウンリンクデータチャネルを通じて転送し、
前記２個以下の転送ブロックと前記２個以下のコードワードとのマッピング関係を規定するスワッピング指示子をダウンリンク制御チャネルを通じて転送すること
を含む、ダウンリンク信号転送方法。
（項目２）
前記２個以下の転送ブロックのうち、第１転送ブロックのサイズが０の場合及び第２転送ブロックのサイズが０の場合が存在し、
前記第１転送ブロック及び前記第２転送ブロックのうちいずれか一方のサイズが０の場合を受信側に知らせるために、変調及びコーディング方式（ＭＣＳ）インデックスを含む制御情報が用いられる、項目１に記載のダウンリンク信号転送方法。
（項目３）
前記第１転送ブロック及び前記第２転送ブロックのうちいずれか一方のサイズが０の場合、前記スワッピングフラグは、使用が留保される、項目２に記載のダウンリンク信号転送方法。
（項目４）
前記第１転送ブロック及び前記第２転送ブロックのうちいずれか一方のサイズが０の場合、前記スワッピングフラグの論理値によらずに、前記第１転送ブロックまたは前記第２転送ブロックは第１コードワードにマッピングされる、項目３に記載のダウンリンク信号転送方法。
（項目５）
前記第１転送ブロック及び前記第２転送ブロックの両方ともサイズが０でなく、前記スワッピングフラグが第１論理値を有する場合、前記第１転送ブロックは第１コードワードに、前記第２転送ブロックは第２コードワードにマッピングされ、
前記第１転送ブロック及び前記第２転送ブロックの両方ともサイズが０でなく、前記スワッピングフラグが第２論理値を有する場合、前記第１転送ブロックは前記第２コードワードに、前記第２転送ブロックは前記第１コードワードにマッピングされる、項目２に記載のダウンリンク信号転送方法。
（項目６）
前記ダウンリンクデータチャネルは、物理ダウンリンク共有チャネル（ＰＤＳＣＨ）であり、
前記ダウンリンク制御チャネルは、物理ダウンリンク制御チャネル（ＰＤＣＣＨ）である、項目１に記載のダウンリンク信号転送方法。
（項目７）
第１転送ブロック及び第２転送ブロックを含む転送ブロックと第１コードワード及び第２コードワードを含むコードワードとのマッピング関係を規定する方法であって、
前記転送ブロックと前記コードワードとのマッピング関係は、スワッピングフラグ及び用いられる転送ブロックまたはコードワードの個数によって規定し、
前記用いられる転送ブロックまたはコードワードの個数が１の場合、前記スワッピングフラグの論理値によらずに、前記第１転送ブロック及び前記第２転送ブロックのうち、用いられる転送ブロックを前記第１コードワードにマッピングし、
前記用いられる転送ブロックまたはコードワードの個数が２の場合、前記スワッピングフラグの論理値によって前記第１転送ブロック及び前記第２転送ブロックのそれぞれを前記第１コードワードまたは前記第２コードワードにマッピングすることを特徴とする、転送ブロック−コードワードマッピング関係規定方法。
（項目８）
前記用いられる転送ブロックまたはコードワードの個数が２であり、前記スワッピングフラグの論理値が‘０’の場合、前記第１転送ブロックを前記第１コードワードに、前記第２転送ブロックを前記第２コードワードにマッピングし、
前記用いられる転送ブロックまたはコードワードの個数が２であり、前記スワッピングフラグの論理値が‘１’の場合、前記第１転送ブロックを前記第２コードワードに、前記第２転送ブロックを前記第１コードワードにマッピングする、項目７に記載の転送ブロック−コードワードマッピング関係規定方法。
【発明の効果】
【００２４】
上記の本発明の実施形態によれば、多重アンテナ通信システムにおいてコードワードとコードワードを通じて転送される転送ブロックとのマッピング関係を明確に規定し、これをスワッピングフラグ及び／または転送ブロックサイズ情報を用いて表すことができる。
【図面の簡単な説明】
【００２５】
【図１】ＨＡＲＱ方式のうち、Ｓｔｏｐ  ａｎｄ  Ｗａｉｔ  ＡＲＱ方式の概念を説明するための図である。
【図２】Ｎ−チャネルＳｔｏｐ  ａｎｄ  ｗａｉｔ  ＨＡＲＱプロトコル手法を説明するための図である。
【図３】ＭＩＭＯ通信システムで用いられる空間多重化（Ｓｐａｔｉａｌ  Ｍｕｌｔｉｐｌｅｘｉｎｇ：ＳＭ）及び空間分割多重接続（Ｓｐａｔｉａｌ  Ｄｉｖｉｓｉｏｎａｌ  Ｍｕｌｔｉｐｌｅ  Ａｃｃｅｓｓ）方式の概念を示す図である。
【図４】多重コードワードを使用するＭＩＭＯシステムの送信端構造を示す図である。
【図５】コードワードと物理的なアンテナとのマッピング関係を示す図である。
【図６】コードワードスワッピングを通じた転送の概念を説明するための図である。
【図７】特定コードワードにヌルデータを転送する概念を示す図である。
【発明を実施するための形態】
【００２６】
以下、本発明の好適な実施形態を、添付の図面を参照しつつ詳細に説明する。添付の図面と共に以下に開示される詳細な説明は、本発明の例示的な実施形態を説明するためのもので、本発明が実施されうる唯一の実施形態を表すためのものではない。
【００２７】
以下の詳細な説明は、本発明の完全な理解を提供するために具体的細部事項を含む。しかし、当業者には、それら具体的細部事項なしにも本発明を実施できることが理解される。場合によっては、本発明の概念が曖昧になることを避けるために公知の構造及び装置は省略したり、各構造及び装置の核心機能を中心にしたブロック図の形式で示すことができる。また、本明細書全体を通じて同一の構成要素には同一の図面符号を付して説明する。
【００２８】
上記のように、本発明は、多重アンテナ通信システムで各コードワードを通じて転送される情報がスワッピングされることを具体的に規定し、特定コードワードを通じて転送される情報のサイズが０の場合などについて、上記のスワッピングフラグとコードワードマッピング関係を明確に規定する方法を提供する。まず、以下では、多重アンテナシステムにおいてコードワードの転送関係について説明する。
【００２９】
図４は、多重コードワードを使用するＭＩＭＯシステムの送信端構造を示す図である。
【００３０】
具体的に、Ｍ個のデータパケット（Ｄａｔａ  Ｐａｃｋｅｔ）は、エンコーディング（例えば、図４のターボエンコーディング）と変調（例えば、図４のＱＡＭ変調）をそれぞれ経てＭ個のコードワードを生成し、各コードワードは、独立したＨＡＲＱプロセスブロックを有するようになる。変調されたＭ個のデータシンボルは、同時にＭＩＭＯ端で多重アンテナ手法によってエンコーディングされて、それぞれの物理アンテナ（Ｐｈｙｓｉｃａｌ  Ａｎｔｅｎｎａ）を通じて転送される。その後、受信端では、多重アンテナチャネル状況に関するチャネル品質情報をフィードバックして、空間多重化率、コーディング率及び変調方式を調節することができる。
【００３１】
それ以外に、図４に示すようなＭＩＭＯ転送のためには、送信端が利用する変調及びコーディング方式に関するＭＣＳ情報、転送されるデータが新しいデータなのか或いは再転送されるデータなのかを示す新しいデータ指示子（ＮＤＩ）、再転送の場合、どのサブパケットを再転送するのかを示すリダンダンシーバージョン（ＲＶ）情報などが必要とされる。
【００３２】
一方、コードワードと物理的なアンテナとのマッピング関係は、任意の形態を有することができる。
【００３３】
図５は、コードワードと物理的なアンテナとのマッピング関係を示す図である。
【００３４】
図５は、具体的に、３ＧＰＰ  ＴＳ  ３６．２１１においてダウンリンクでの空間多重化率によるコードワード（ＣＷ）対レイヤーマッピング方法を示している。すなわち、空間多重化率が１の場合、一つのコードワードが一つのレイヤーにマッピングされ、プリコーディング手法によって一つのレイヤーで生成されたデータは、４個の送信アンテナを通じて転送されるようにエンコーディングされる。空間多重化率が２の場合、２個のコードワードが２個のレイヤーにマッピングされ、プリコーダによって４個のアンテナにマッピングされる例を示している。また、空間多重化率が３の場合、２個のコードワードのうち一つのコードワードは、直−並列変換器（Ｓ／Ｐ）により２個のレイヤーにマッピングされ、総２個のコードワードが３個のレイヤーにマッピングされた後、プリコーダにより４個のアンテナにマッピングされる例を示している。また、空間多重化率が４の場合、２個のコードワードのそれぞれが直−並列変換器によりそれぞれ２個のレイヤーにマッピングされ、総４個のレイヤーがプリコーダにより４個のアンテナにマッピングされる例を示している。
【００３５】
すなわち、４個の送信アンテナを有する基地局の場合、最大４個のレイヤーを有することができ、４個の独立したコードワードを有することができるものの、図５では、コードワードの個数を最大２個にして構成されたシステムを例示している。したがって、図５に示すシステムでは、各コードワード（ＣＷ）が独立したＨＡＲＱプロセスを有するとする場合、最大２個の独立したＨＡＲＱプロセスを転送できることがわかる。
【００３６】
一方、上記のようにＣＷ１とＣＷ２を通じて転送される情報は、その位置を取り替えて転送することもできる。
【００３７】
図６は、コードワードスワッピングを通じた転送の概念を説明するための図である。
【００３８】
図６では、図５のようなレイヤーマッピング関係のうち、２以上のコードワードが転送される場合、ＣＷ１とＣＷ２がスワッピング（ｓｗａｐｐｉｎｇ）された形態を示している。このようなスワッピングは、１ビットのスワッピングフラグ（Ｓｗａｐｐｉｎｇ  Ｆｌａｇ）の‘１’または‘０’の論理値で表すことができる。ただし、図６に示すように、ＣＷ１とＣＷ２の位置が取り替えられる場合、図５に示すようなコードワード−レイヤーマッピングが変更される必要がある。
【００３９】
したがって、本発明の一実施形態では、上記のスワッピングフラグが、コードワード自体のスワッピングを表すのではなく、各コードワードにマッピングされる転送ブロックのマッピングがスワッピングされることを表すように設定することを提案する。これにより、図５に示すようなコードワード対レイヤーマッピング関係は、スワッピングフラグによらずに常に固定した形態で用いられることができる。
【００４０】
すなわち、本実施形態によるダウンリンク信号転送方法では、２個以下の転送ブロックを２個以下のコードワードにマッピングする段階で、各転送ブロックとコードワードとのマッピング関係を、１ビット長のスワッピングフラグを用いて表すことができる。その後、２個以下のコードワードにマッピングされた情報は４個以下のレイヤーにマッピングして、ダウンリンクデータチャネル、３ＧＰＰ  ＬＴＥシステムの場合は物理ダウンリンク共有チャネル（Ｐｈｙｓｉｃａｌ  Ｄｏｗｎｌｉｎｋ  Ｓｈａｒｅｄ  Ｃｈａｎｎｅｌ：ＰＤＳＣＨ）を通じて転送し、このコードワード−レイヤーのマッピング関係は、スワッピングフラグによらずに、図５に示す形態で固定して利用されることができる。
【００４１】
また、上記のスワッピングフラグは、ダウンリンク制御チャネル、３ＧＰＰ  ＬＴＥシステムでは物理ダウンリンク制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）を通じて転送することができる。
【００４２】
一方、上記のように複数のコードワードを同時に転送できる無線通信システムにおいて、特定コードワード自体またはこれを通じて転送される情報のサイズが０になる場合がある。
【００４３】
例えば、最大２個のコードワード転送が可能であり、４個の送信アンテナを有する多重アンテナシステムを取り上げる。ここで、空間多重化率が４の場合、１番目のコードワード（ＣＷ１）は、（１，２）番目のレイヤーを通じて転送され、２番目のコードワード（ＣＷ２）は、（３，４）番目のレイヤーを通じて転送されることができる。この場合、エラー検出はコードワード単位で可能なため、もし、ＣＷ１にのみエラーが検出される場合、エラーの発生しなかったＣＷ２は転送に用いられなくて良い。また、ＣＷ２の転送が完了してＣＷ２のバッファーが空いている場合も可能である。
【００４４】
図７は、特定コードワードにヌル（ｎｕｌｌ）データを転送する概念を示す図である。
【００４５】
具体的に、図７は、図５のようなレイヤーマッピング関係のうち、２以上の空間多重化率で転送される状況で不意に一つのＣＷのバッファーが空になったり、チャネルの空間多重化率が小さくなる場合、一つのＣＷにヌルデータを転送する概念を示すもので、  図７の（ａ）は、コードワードＡにヌルデータを転送する場合を、図７の（ｂ）は、コードワードＢにヌルデータを転送する場合を示している。
【００４６】
このような方式により、表面的には２つのＣＷが全て使用されるかのように多重アンテナ手法が用いられるが、実際にはヌルデータによって空間多重化率を小さく利用するように設定することができる。
【００４７】
ただし、上記のように、コードワードを通じて転送される情報は転送ブロックとみなすことができ、特定コードワードを通じてヌルデータが転送される場合は、該当のコードワードを通じて転送される転送ブロックのサイズが０の場合と解釈することができる。例えば、図７では、ＣＷ１またはＣＷ２自体が不活性化される場合を示しているが、これは、ＣＷ１／ＣＷ２にマッピングされる転送ブロック１／転送ブロック２のサイズが０の場合を含む概念である。
【００４８】
近年、３ＧＰＰ  ＬＴＥシステムで、第１転送ブロックと第２転送ブロックがそれぞれコードブロックを通じて転送される場合のうち、転送ブロックサイズが０になる場合に対する設定において（ＴＢＳｘ＝０）、第２転送ブロックのサイズのみが０を有するように設定する方法（ｘ＝２  ｏｎｌｙ）と、第１転送ブロック、第２転送ブロック両方ともサイズが０になるように設定する方法（ｂｏｔｈ  ｘ＝１  ａｎｄ  ｘ＝２）について論議された。これについて、上述したように、コードワード対レイヤーマッピングは、スワッピングフラグによらずに固定して用いられなければならなく、転送ブロック自体のみスワッピングされなければならない。したがって、本発明の好適な一実施形態では、２個の転送ブロックともバッファーが空になる場合が発生できるので、第１転送ブロックのサイズが０になる場合、第２転送ブロックのサイズが０になる場合の両方を支援することを提案する。
【００４９】
また、このようにいずれか一つの転送ブロックのサイズが０の場合を表す明示的な制御情報を転送せずに、別の制御情報を通じて暗黙的に伝達することが好ましい。このために、本実施形態では、変調及びコーディング方式（ＭＣＳ）インデックスを含む制御情報を用いて表すことを提案する。具体的な実施形態で、ＭＣＳ＝２９で、ＮＤＩ（Ｎｅｗ  Ｄａｔａ  Ｉｎｄｉｃａｔｏｒ）がトーグリング（ｔｏｇｇｌｉｎｇ）されるものを、いずれか一つの転送ブロックのサイズが０であることを表す情報として用いることができる。この場合、同一のＨＡＲＱプロセス番号を有する、サイズが０でない最新転送ブロックは、ＮＤＩトーグリングのための基準になることができる。
【００５０】
他の実施形態で、ＭＣＳ＝０で、リダンダンシーバージョン（ＲＶ）が１であるものを、いずれか一つの転送ブロックのサイズが０であることを表す情報として用いることができる。
【００５１】
上述の実施形態を、下記の表のように整理することができる。
【００５２】
【表１】
0005653491.tif 000002
上記表１は、スワッピングフラグ及び用いられるコードワードの数（すなわち、用いられる転送ブロックの数）によって、転送ブロックとコードワードとのマッピング関係を規定した一例である。もし、ユーザ機器（ＵＥ）が一つのコードワードのみを用いるように構成される場合、スワッピングフラグは、ユーザ機器では考慮される必要がない。上記のようにユーザ機器が一つのコードワードのみを用いるように構成される場合、上記表１に表した通り、ＣＷ１のみが転送に用いられるからである。
【００５３】
一方、下記の表２は、上記表１の変形例である。
【００５４】
【表２】
0005653491.tif 000003
上記表２では、上記表１とは違い、一つのコードワードのみが用いられ、ＴＢ２がＣＷ１にマッピングされる場合を、スワッピングフラグが‘１’の場合と設定していることがわかる。ただし、このように一つのコードワードのみが用いられる場合、スワッピングフラグは考慮されないから、これは大きな意味を有しない。
【００５５】
以上の本発明の好適な実施形態についての詳細な説明は、当業者が本発明を具現して実施できるように提供された。以上では本発明の好適な実施形態に挙げて本発明を説明したが、該当技術分野における熟練した当業者には、添付の特許請求の範囲に記載された本発明の思想及び領域を逸脱しない範囲内で、本発明を様々に修正及び変更できるということは明らかである。したがって、本発明は、具体的な実施形態に制限されるものではなく、ここに開示された原理及び新規の特徴と一致する最も広い範囲を有するものである。
【産業上の利用可能性】
【００５６】
上述した本発明の実施形態は、スワッピングフラグなどを用いて效率的にダウンリンク信号を転送するのに用いることができる。このような特徴は、上述の３ＧＰＰ  ＬＴＥシステムに好適に適用できる他、転送ブロックとコードワードとのマッピング、コードワードとアンテナまたはレイヤーとのマッピングなどが用いられる任意の無線通信システムに同一の原理により適用することができる。
【図１】
0005653491.tif 000004
【図２】
0005653491.tif 000005
【図３】
0005653491.tif 000006
【図４】
0005653491.tif 000007
【図５】
0005653491.tif 000008
【図６】
0005653491.tif 000009
【図７】
0005653491.tif 000010